(57)【要約】      （修正有）【課題】非接触型識別情報担体が容易に脱落したり、雨水や洗浄水により破損することのない、物流管理に適した非接触型識別情報担体を一体に備える射出成形品およびその製造方法を提供することを目的としている。【解決手段】非接触型識別情報担体４を収容した電磁波透過性を有する樹脂製保護容器３を金型の所定位置にセットした状態で金型内に射出成形品本体２となる溶融樹脂を射出して樹脂製保護容器３と射出成形品本体２とを一体成形することを特徴としている。【選択図】図１
2005075423.tif 000002
【特許請求の範囲】
【請求項１】
非接触型識別情報担体を収容した電磁波透過性を有する樹脂製保護容器が、射出成形品本体の所望箇所に少なくともその一部を埋設された状態で射出成形品本体に一体成形されていることを特徴とする射出成形品。
【請求項２】
樹脂製保護容器の色が、射出成形品本体の色と異なる請求項１に記載の射出成形品。
【請求項３】
樹脂製保護容器の周囲に凹凸が形成されている請求項１または請求項２に記載の射出成形品。
【請求項４】
非接触型識別情報担体を収容した電磁波透過性を有する樹脂製保護容器を金型の所定位置にセットした状態で金型内に射出成形品本体となる溶融樹脂を射出することを特徴とする射出成形品の製造方法。
【発明の詳細な説明】
【技術分野】
【０００１】
本発明は、非接触型識別情報担体を備えた射出成形品およびその製造方法に関する。
【背景技術】
【０００２】
近年は、ICチップとアンテナとが埋め込まれたICタグ等の非接触型識別情報担体を用いた商品管理や物流管理が広く行われつつある。（特許文献１等参照）。
ところで、従来のＩＣタグ等の非接触型識別情報担体は、たとえば、物流コンテナ等の容器やパレットなどの壁面に貼り付けられたり、チェーン等の線条材によって壁面に吊り下げられたりしている。
【０００３】
【特許文献１】特開２０００−１０３５０５号公報
【発明の開示】
【発明が解決しようとする課題】
【０００４】
しかしながら、上記のようにＩＣタグ等は、容器等の壁面に貼り付けたり、吊り下げられたりしているため、物流過程において外れたり、無理やり取り外されて盗難にあう恐れがある。また、雨水や洗浄水によってＩＣや回路部分が破損する恐れがある。
【０００５】
本発明は、上記事情に鑑みて、非接触型識別情報担体が容易に脱落したり、雨水や洗浄水により破損することのない、物流管理に適した非接触型識別情報担体を一体に備える射出成形品およびその製造方法を提供することを目的としている。
【課題を解決するための手段】
【０００６】
上記目的を達成するために、本発明にかかる射出成形品は、非接触型識別情報担体を収容した電磁波透過性を有する樹脂製保護容器が、射出成形品本体の所望箇所に少なくともその一部を埋設された状態で射出成形品本体に一体成形されていることを特徴としている。
【０００７】
また、本発明にかかる射出成形品は、樹脂製保護容器を、射出成形品本体の色と異なる色にする構成、樹脂製保護容器の周囲に凹凸が形成されている構成としても構わない。
【０００８】
一方、本発明にかかる射出成形品の製造方法は、非接触型識別情報担体を収容した電磁波透過性を有する樹脂製保護容器を金型の所定位置にセットした状態で金型内に射出成形品本体となる溶融樹脂を射出することを特徴とする。
【発明の効果】
【０００９】
本発明にかかる射出成形品は、非接触型識別情報担体が電磁波透過性を有する樹脂製保護容器内に収容され保護された状態で、樹脂製保護容器とともに射出成形品本体と一体成形されているので、非接触型識別情報担体が物流段階等で成形品本体から脱落したり、盗難にあう恐れが少ない上、水濡れの心配もない。しかも、非接触型識別情報担体が射出成形品本体に内蔵されているので、成形品の外観がよい。
また、樹脂製保護容器を、射出成形品本体の色と異なる色にしておけば、非接触型識別情報担体部分の位置が目視で容易に判別でき、射出成形品本体から非接触型識別情報担体部分のみを取り外しやすく、リサイクル性に優れたものとなる。
【００１０】
さらに、樹脂製保護容器の周囲に凹凸を形成しておけば、樹脂製保護容器の外部表面積が大きくなるので、射出成形品本体との接触面積が大きくなり、射出成形品本体とより強
固に一体化される。
一方、本発明にかかる射出成形品の製造方法によれば、非接触型識別情報担体が、樹脂製保護容器内に収容され保護された状態で、射出成形品本体が射出成形されるので、射出の際の溶融樹脂の熱によって非接触型識別情報担体が破損したりすることがない。しかも、成形品本体を構成する溶融樹脂との接触によって、樹脂製保護容器の表面が一部溶けた状態となり、その後固化するので、射出成形品本体と樹脂製保護容器とがしっかりと一体化される。
【発明を実施するための最良の形態】
【００１１】
以下に、本発明を、その実施の形態をあらわす図面を参照しつつ詳しく説明する。
図１は、本発明にかかる射出成形品の１つの実施の形態をあらわすコンテナの斜視図である。
【００１２】
図１に示すように、このコンテナ１は、射出成形品本体であるコンテナ本体２と、非接触型識別情報担体としてのＩＣタグ４を内蔵した樹脂製保護容器（以下、「保護容器」とのみ記す）３とから構成されている。
保護容器３は、ポリプロピレン等の熱可塑性樹脂でコーナーが丸く面取りされた略正方形に形成されていて、図２に示すように、容器本体３ａと、蓋３ｂとを備えている。
【００１３】
容器本体３ａの一方の面には、その中央に非接触型識別情報担体としてのＩＣタグ４を収容可能な凹部３１が設けられ、対角をなす２つのコーナー部にボス３２が突設され、残りの２つのコーナー部にボス穴３３が設けられている。
蓋３ｂは、一方の面のボス穴３３に対応する部分にボス穴３３に嵌合するボス３４が突設され、ボス３２に対応する部分にボス３２が嵌合する貫通孔３５が穿設されている。
【００１４】
ＩＣタグ４は、図示していないが、ＩＣチップとアンテナとを備えている。
コンテナ本体２は、保護容器３と異なる色に着色された保護容器３と略同じ材質で形成されていて、以下のようにして射出成形によって保護容器３と一体化されている。
【００１５】
すなわち、このコンテナ１は、まず、図２に示すように、容器本体３ａの凹部３１にＩＣタグ４をセットしたのち、図３に示すように、ボス３２を貫通孔３５に、ボス３４をボス穴３３にそれぞれ嵌合させて蓋３ｂを容器本体３ａに一体化させる。
つぎに、型開き状態で、図４に示すように、金型５に設けられた位置決め凹部５１に保護容器３の一部を嵌合させて、金型５内での保護容器３の位置決めを行ったのち、金型５を閉合し、コンテナ本体２となる溶融樹脂（図示せず）をキャビティ５２内に射出充填し、溶融樹脂が固化後、金型５を開いて金型５から取り出すことによって得られる。
【００１６】
以上のように、このコンテナ１は、ＩＣタグ４が保護容器３に収容された状態で金型５内にセットされたのち、コンテナ本体３が射出成形されることによってえられるので、射出成形の際にＩＣタグ４が溶融樹脂によって破損したりすることがない。そして、保護容器３の表面部分が射出時に溶融樹脂の熱によって溶融し、コンテナ本体３を形成する樹脂と混ざり合い、保護容器３がコンテナ本体３にしっかりと一体化させる。すなわち、ＩＣタグ４がコンテナ１にしっかりと一体化した状態になる。したがって、ＩＣタグ４が水濡れしたり、脱落したりすることがない。また、保護容器３とコンテナ本体３が異なる色の樹脂で形成されているので、ＩＣタグ４の位置が外部から簡単に視認でき、コンテナ１が不要になれば、ＩＣタグ部分を割って取り除けば、コンテナ本体３の部分をリサイクルすることができる。
【００１７】
また、上記の製造方法では、金型５の位置決め凹部５１に保護容器３の一部を嵌合させた状態でコンテナ本体３を射出成形するようになっているので、保護容器３が金型５内で
しっかりと位置決めされ、射出圧によって保護容器３の位置がずれ動いたりすることがない。したがって、ＩＣタグ４を一定位置に備えたコンテナ１を常に安定して製造することができる。
【００１８】
図５は、保護容器の他の例をあらわしている。
図５に示すように、この保護容器６は、側縁に略全周にわたって鋸刃状の凹凸を設けるようにした以外は、上記保護容器３と同様になっている。
【００１９】
すなわち、この保護容器６は、側縁が鋸刃状の凹凸になっているので、コンテナ本体２との接触面積が大きくなり、保護容器６とコンテナ本体２とがよりしっかりと一体化できる。
【００２０】
本発明は、上記の実施の形態に限定されない。たとえば、上記の実施の形態では、射出成形品がコンテナであったが、その他の成形品でも構わない。また、上記の実施の形態では、非接触型識別情報担体がＩＣタグであったが、共振コイル式タグ等でも構わない。
さらに、上記保護容器６は、側縁に凹凸を設けていたが、表裏面にも凹凸を設けるようにしても構わない。
【図面の簡単な説明】
【００２１】
【図１】本発明にかかる射出成形品の１つの実施の形態をあらわす斜視図である。
【図２】本発明にかかる射出成形品に用いられる樹脂製保護容器の１例をあらわす分解斜視図である。
【図３】図２樹脂製保護容器のＩＣタグ内蔵状態の斜視図である。
【図４】本発明にかかる射出成形品の製造方法の１つの実施の形態を説明する金型の要部断面図である。
【図５】本発明にかかる射出成形品に用いられる樹脂製保護容器の他例をあらわすＩＣタグ内蔵状態の斜視図である。
【符号の説明】
【００２２】
１  コンテナ（射出成形品）
２  コンテナ本体（射出成形品本体）
３，６  樹脂製保護容器
４  ＩＣタグ（非接触型識別情報担体）
５  金型
【図１】
2005075423.tif 000003
【図２】
2005075423.tif 000004
【図３】
2005075423.tif 000005
【図４】
2005075423.tif 000006
【図５】
2005075423.tif 000007